(57)【要約】【課題】乗りかごと乗場の間の敷居部において、意匠性を向上させるエレベータを提供することである。【解決手段】エレベータ１０は、乗りかご２０と乗場２７との間に設けられる乗場敷居部２９と、光を放つ複数の光源２９ｄと、乗場敷居部２９において、意匠性を高めるように、光を透過させる複数の表示窓２９ｃと、複数の光源２９ｄを制御する制御盤１８と、を備える。【選択図】図５
2013139307.tif 000002
【特許請求の範囲】
【請求項１】
乗りかごと乗場との間に設けられる敷居部と、
光を放つ光源部と、
前記敷居部において、意匠性を高めるように、前記光を透過させる表示部と、
前記光源部を制御する制御部と、
を備えることを特徴とするエレベータ。
【請求項２】
請求項１に記載のエレベータにおいて、
前記表示部は、前記敷居部の表面に設けられることを特徴とするエレベータ。
【請求項３】
請求項１に記載のエレベータにおいて、
前記表示部は、敷居部の溝を形成する面に設けられることを特徴とするエレベータ。
【請求項４】
請求項１から請求項３のいずれか１項に記載のエレベータにおいて、
前記制御部は、
前記光の色を変える制御を行うことを特徴とするエレベータ。
【請求項５】
請求項１から請求項４のいずれか１項に記載のエレベータにおいて、
前記制御部は、
前記光の照度を変える制御を行うことを特徴とするエレベータ。
【請求項６】
請求項１から請求項５のいずれか１項に記載のエレベータにおいて、
前記制御部は、
前記光を点滅させる制御を行うことを特徴とするエレベータ。
【請求項７】
請求項１から請求項６のいずれか１項に記載のエレベータにおいて、
前記表示部は、複数の表示窓を含んで構成されることを特徴とするエレベータ。
【請求項８】
請求項７に記載のエレベータにおいて、
前記光源部は、前記複数の表示窓に対応する複数の光源を含み、
前記制御部は、前記複数の光源を制御することを特徴とするエレベータ。
【発明の詳細な説明】
【技術分野】
【０００１】
本発明は、エレベータに関する。
【背景技術】
【０００２】
現在、様々な場所において、エレベータが設置されている。本発明に関連する技術として、例えば、特許文献１には、エレベータのドアパネルの移動をガイドする敷居と、敷居に、その長手方向に沿って一連に並べて設けられた複数の発光素子と、発光素子をドアパネルの移動時にその移動方向と同じ方向に順々に点灯させる制御を行なう制御手段と、を具備するエレベータのドア敷居照明装置が開示されている。
【先行技術文献】
【特許文献】
【０００３】
【特許文献１】特開２０１０−１２６２７７号公報
【発明の概要】
【発明が解決しようとする課題】
【０００４】
ところで、エレベータにおいて、乗りかごと乗場の間に設けられる敷居部は、適当な強度を確保するために、アルミ又はステンレスで構成されていることが多く、特に意匠性を向上させる工夫がなされていなかった。
【０００５】
本発明の目的は、乗りかごと乗場の間に設けられる敷居部において、意匠性を向上させたエレベータを提供することである。
【課題を解決するための手段】
【０００６】
本発明に係るエレベータは、乗りかごと乗場との間に設けられる敷居部と、光を放つ光源部と、前記敷居部において、意匠性を高めるように、前記光を透過させる表示部と、前記光源部を制御する制御部と、を備えることを特徴とする。
【０００７】
また、本発明に係るエレベータにおいて、前記表示部は、前記敷居部の表面に設けられることが好ましい。
【０００８】
また、本発明に係るエレベータにおいて、前記表示部は、敷居部の溝を形成する面に設けられることが好ましい。
【０００９】
また、本発明に係るエレベータにおいて、前記制御部は、前記光の色を変える制御を行うことが好ましい。
【００１０】
また、本発明に係るエレベータにおいて、前記制御部は、前記光の照度を変える制御を行うことが好ましい。
【００１１】
また、本発明に係るエレベータにおいて、前記制御部は、前記光を点滅させる制御を行うことが好ましい。
【００１２】
また、本発明に係るエレベータにおいて、前記表示部は、複数の表示窓を含んで構成されることが好ましい。
【００１３】
また、本発明に係るエレベータにおいて、前記光源部は、前記複数の表示窓に対応する複数の光源を含み、前記制御部は、前記複数の光源を制御することが好ましい。
【発明の効果】
【００１４】
本発明によれば、敷居部において意匠性を向上させることができる。
【図面の簡単な説明】
【００１５】
【図１】本発明に係る実施の形態において、エレベータを示す図である。
【図２】本発明に係る実施の形態において、乗りかご内の様子を示す図である。
【図３】本発明に係る実施の形態において、各階の乗場の乗場扉の周囲の様子を示す図である。
【図４】図１において、乗りかごと、乗りかごが停止している部分の乗場の拡大図である。
【図５】本発明に係る実施の形態において、乗場側敷居部の斜視図である。
【図６】本発明に係る実施の形態において、乗場側敷居部の斜視図である。
【図７】本発明に係る実施の形態において、乗場側敷居部の斜視図である。
【図８】本発明に係る実施の形態において、乗場側敷居部の斜視図である。
【発明を実施するための形態】
【００１６】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１７】
図１は、エレベータ１０を示す図である。図２は、乗りかご２０内の様子を示す図である。図３は、各階の乗場２７の乗場扉２８の周囲の様子を示す図である。エレベータ１０は、主ロープ１２と、釣合錘１４と、巻上機１６と、制御盤１８と、乗りかご２０と、乗場扉２８と、昇降路３０とを備える。また、エレベータ１０は、乗りかご２０について、各階の乗場２７の間を昇降させることで乗客を移動させる。
【００１８】
主ロープ１２は、乗りかご２０を吊るすためのロープであり、巻上機１６に巻き掛けられている。そして、主ロープ１２の一方端は乗りかご２０に接続され、他方端は釣合錘１４が接続されている。
【００１９】
釣合錘１４は、主ロープ１２の他方端に接続され、主ロープ１２の一方端に接続される乗りかご２０との間でバランスを取るために必要な重量が設定される。
【００２０】
巻上機１６は、制御盤１８の制御によって、巻き掛けられた主ロープ１２を駆動させることで乗りかご２０を昇降させるための装置である。また、巻上機１６は、機械室８に配置されている。
【００２１】
乗りかご２０は、制御盤１８の制御によって、巻上機１６が作動すると昇降路３０内を昇降し、乗客を乗せるための構造物である。乗りかご２０の内部空間は、所定の人数が乗車できる程度の広さを有する空間である。乗りかご２０は、かご操作装置２４と、乗りかご扉２６とを含む。
【００２２】
かご操作装置２４は、乗りかご２０内に乗り込んだ乗客が行先階を選択したり、乗りかご扉２６を開閉したりするための押釦２４２と、乗りかご２０が位置している階やその他の情報を表示するインジケータ２４４を備える操作盤である。かご操作装置２４は、乗りかご２０の側壁のうち乗りかご扉２６の隣の袖壁２０ａに取り付けられる。ここで、押釦２４２のうち、乗りかご２０が着床している際に、乗りかご扉２６を強制的に戸開させるための釦を戸開釦２４２ａとし、乗りかご扉２６を強制的に戸閉させるための釦を戸閉釦２４２ｂとする。
【００２３】
乗りかご扉２６は、乗りかご２０に設けられる扉であり、乗りかご２０が行先階の乗場２７に着床した際に、当該乗場２７の乗場扉２８ともに開く。これにより、乗客が乗りかご２０に対して乗り降りすることができる。
【００２４】
乗場扉２８は、各乗場２７に設けられる扉であり、乗りかご２０が着床した際に、乗りかご扉２６とともに開く。これにより、乗客が乗りかご２０に対して乗り降りすることができる。
【００２５】
各階の乗場２７には、縦枠３２ａ，３２ｂと横枠３２ｃとから構成される三方枠３２と、乗場操作装置３４と、乗場扉２８とが設けられている。
【００２６】
乗場操作装置３４は、乗りかご２０を呼ぶための呼び釦３４２と、乗りかご２０が位置している階やその他の情報を表示するインジケータ３４４を表示する操作盤である。乗場操作装置３４は、乗場扉２８の隣の乗場壁３５に取り付けられる。
【００２７】
乗場扉２８は、三方枠３２の縦枠３２ａ，３２ｂと横枠３２ｃとによって区画された開口領域３７を開閉可能な片開き式の扉である。
【００２８】
三方枠３２の縦枠３２ａ，３２ｂと横枠３２ｃとは、乗客が乗りかご２０に対して乗り降りするための出入り口となる開口領域３７を区画するために、各階の乗場２７に設けられる部材である。縦枠３２ａ，３２ｂと横枠３２ｃとは、適当な強度を有し、かつ、強磁性を有する部材で構成される。例えば、鉄を用いて構成することができる。
【００２９】
次に、乗りかご２０に設けられる乗りかご側敷居部２５と、乗場２７に設けられる乗場側敷居部２９とについて詳細に説明する。図４は、図１において、乗りかご２０と、乗りかご２０が停止している部分の乗場２７の拡大図である。乗りかご２０の床面部のうち乗場２７側には、図４に示されるように、敷居溝２５ａを有する乗りかご側敷居部２５が設けられている。そして、乗場２７の床面部のうち乗りかご２０側には、図４に示されるように、敷居溝２９ａを有する乗場側敷居部２９が設けられている。そして、乗りかご扉２６の下部に取り付けられた複数の駒２６ａが敷居溝２５ａに案内されることで、乗りかご扉２６が開閉可能となっている。また、乗場扉２８の下部に取り付けられた複数の駒２８ａは、敷居溝２８ａに案内されることで、乗場扉２８が開閉可能となっている。
なお、乗りかご２０と乗場２７の間に設けられる乗りかご側敷居部２５と乗場側敷居部２９とを併せて敷居部と呼ぶ。
【００３０】
続いて、乗場側敷居部２９について、さらに詳細に説明する。図５は、乗場側敷居部２９の斜視図である。なお、乗りかご側敷居部２５は乗場側敷居部２９と同様の構成であるため詳細な説明は省略する。乗場側敷居部２９は、適当な強度を有するアルミ又はステンレスで構成されている。また、乗場側敷居部２９には、図５に示されるとおり、長手方向に沿って敷居溝２９ａが形成されている。
【００３１】
乗場側敷居部２９の表面２９ｂには、複数の表示窓２９ｃが長手方向に沿って並んで設けられている。複数の表示窓２９ｃは、透明度の高いアクリル板等を用いて構成される。また、乗場側敷居部２９の内部には、複数の表示窓２９ｃに対応するそれぞれの位置に複数の光源２９ｄが取り付けられている。複数の光源２９ｄは、それぞれ対応する表示窓２９ｃから乗場側敷居部２９の上方に光が放たれるように発光する発光素子を含んで構成される。例えば、複数の光源２９ｄは、複数のＬＥＤ（Ｌｉｇｈｔ  Ｅｍｉｔｔｉｎｇ  Ｄｉｏｄｅ）を含んで構成される。なお、複数のＬＥＤは、それぞれ異なる色を発光することができる。
【００３２】
制御盤１８は、乗りかご扉２６、乗場扉２８の開閉を制御し、乗りかご２０を昇降させるために巻上機１６を制御するというようにエレベータ１０全体を制御する機能を有している。ここでは、制御盤１８は、複数の光源２９ｄ及び乗りかご側敷居部２５の設けられる複数の光源（不図示）を制御する点に特徴を有するので、以下においてさらに詳細に説明する。なお、以下では、制御盤１８は複数の光源２９ｄを制御するものとして説明するが、もちろん、乗りかご側敷居部２５の設けられる複数の光源についても同様の制御を行う。
【００３３】
制御盤１８は、複数の光源２９ｄをそれぞれ発光させるための電源供給の制御を行う機能を有し、さらに、複数の光源２９ｄが発光する色を変更したり、照度を変更する機能を有する。ここで、当該制御を行う手順は、制御盤１８内のメモリに記録されたプログラミング等を用いて実行することができる。
【００３４】
続いて、上記構成のエレベータ１０の作用について説明する。エレベータ１０において、乗りかご２０が目的階に着床したときに、乗りかご扉２６及び乗場扉２８が開く。このとき、制御盤１８は、メモリ内に記録されたプログラミングに基づいて、複数の光源２９ｄを点滅させたり、各光源２９ｄ毎に照度を変えたり、各光源２９ｄ毎に色を変えたりする制御を行う。これにより、乗場側敷居部２９の意匠性、ひいてはエレベータ１０の意匠性を向上することができるとともに、乗場側敷居部２９における視認性も向上させることができる。
なお、このとき、図６に示されるように、複数の表示窓２９ｄは、長手方向に連結された表示窓であってもよい。
【００３５】
次に、エレベータ１０の第１変形例について説明する。エレベータ１０の第１変形例とエレベータ１０との相違は、乗場側敷居部２９のみであるため、その相違点のみを説明する。図７は、エレベータ１０の第１変形例の乗場側敷居部２９の斜視図である。乗場側敷居部２９において、複数の表示窓２９ｃは、敷居溝２９ａを形成する底面において長手方向に沿って配置されている。また、乗場側敷居部２９の内部には、複数の表示窓２９ｃに対応するそれぞれの位置に複数の光源２９ｄが取り付けられている。エレベータ１０の第１変形例においても、エレベータ１０と同様の作用効果を有する。
【００３６】
続いて、エレベータ１０の第２変形例について説明する。エレベータ１０の第２変形例とエレベータ１０との相違は、乗場側敷居部２９のみであるため、その相違点のみを説明する。図８は、エレベータ１０の第２変形例の乗場側敷居部２９の斜視図である。乗場側敷居部２９において、複数の表示窓２９ｃは、敷居溝２９ａを形成する側面において長手方向に沿って配置されている。また、乗場側敷居部２９の内部には、複数の表示窓２９ｃに対応するそれぞれの位置に複数の光源２９ｄが取り付けられている。エレベータ１０の第２変形例においても、エレベータ１０と同様の作用効果を有する。
【符号の説明】
【００３７】
８  機械室、１０  エレベータ、１２  主ロープ、１４  釣合錘、１６  巻上機、１８制御盤、２０  乗りかご、２０ａ  袖壁、２４  かご操作装置、２５  乗りかご側敷居部、２５ａ  敷居溝、２６  乗りかご扉、２６ａ  駒、２７  乗場、２８  乗場扉、２８ａ  駒、２８ａ  敷居溝、２９  乗場側敷居部、２９  乗場側敷居部、２９ａ  敷居溝、２９ｂ  表面、２９ｃ  表示窓、２９ｄ  光源、３０  昇降路、３２  三方枠、３２ａ，３２ｂ  縦枠、３２ｃ  横枠、３４  乗場操作装置、３５  乗場壁、３７  開口領域、２４２  押釦、２４２ａ  戸開釦、２４２ｂ  戸閉釦、２４４  インジケータ、３４２  呼び釦、３４４  インジケータ。
【図１】
2013139307.tif 000003
【図２】
2013139307.tif 000004
【図３】
2013139307.tif 000005
【図４】
2013139307.tif 000006
【図５】
2013139307.tif 000007
【図６】
2013139307.tif 000008
【図７】
2013139307.tif 000009
【図８】
2013139307.tif 000010